(57)【要約】  デジタル資産にデジタル・パーソナライゼーションを付加するための方法が提供される。デジタル資産へのデジタル・パーソナライゼーションの付加は、デジタル資産の配信者が、パッケージングされたデジタル権利メッセージングを自分の製品に含めることを可能にする。消費者の個人情報が、スクリプト化されたメッセージ内に挿入され、そのスクリプト化されたメッセージは、その消費者の著作権義務のリマインダを含む。パーソナライゼーションは、普通の消費者には見えないエンコードされた資産識別情報を含むこともできる。資産は、通常の権利管理制限を伴わずに提供される。
2015515073.tif 000002
【特許請求の範囲】
【請求項１】
デジタル資産にデジタル・パーソナライゼーションを付加するための方法であって、
デジタル資産に対するライセンスを求める顧客要求を受信するステップと、
顧客識別情報（ＣＩＤ）を受信するステップと、
前記資産のパッケージを解くステップ、またはパッケージを解かれた形態の前記資産を取得するステップと、
少なくとも第１のパーソナライゼーション通知（ＰＤＲＮ）メッセージを用意するステップであり、それぞれのＰＤＲＮメッセージが、著作権通知と、前記ＣＩＤの少なくとも１つの要素とを含む、ステップと、
前記パッケージを解かれた資産を、前記顧客への感覚的な表示のためのそれぞれのＰＤＲＮメッセージを含めるようにフォーマットするステップと、
前記フォーマットされた、パックを解かれた資産を、その中に前記デジタル・パーソナライゼーションを含めてパッケージングするステップと含む方法。
【請求項２】
前記感覚的な表示が、視覚に訴える表示および聴覚に訴える表示のうちの１つまたは複数である、請求項１に記載の方法。
【請求項３】
前記デジタル資産が、ｅブック、ビデオ、およびオーディオ資産から構成されるグループから選択される、請求項１または２に記載の方法。
【請求項４】
前記資産がｅブックであり、
前記ＰＤＲＮメッセージのうちの１つまたは複数が、視覚に訴える感覚的な表示である、
請求項１、２、または３に記載の方法。
【請求項５】
前記資産がｅブックであり、少なくとも第１のＰＤＲＮメッセージを用意する前記ステップが、
付加して前記資産の冒頭付近に表示するための前書きＰＤＲＮページとして第１のＰＤＲＮメッセージを用意するステップと、
付加して前記資産の末尾付近に表示するための後書きＰＤＲＮページとして第２の末尾ＰＤＲＮメッセージを用意するステップとをさらに含む、請求項１または２に記載の方法。
【請求項６】
フォーマットされていないデジタル資産をパッケージングするステップの前に、前記パッケージを解かれた資産内に資産識別情報をエンコードするステップをさらに含む、請求項１から５のいずれか一項に記載の方法。
【請求項７】
前記デジタル資産がｅブックであり、前記パッケージを解かれた資産が、少なくともメタタグ・セクションと、前記資産のボディーおよびページを含むマニフェスト・セクションと、目次（ＴＯＣ）を含むスパイン・セクションと、コンテンツ・ドキュメントとを含むＯＰＦ（ｏｐｅｎ  ｐａｃｋａｇｉｎｇ  ｆｏｒｍａｔ）ファイルを有しており、前記方法が、
フォーマットされた、パッケージを解かれた資産を確立するために、それぞれのＰＤＲＮメッセージを含めるように内部のナビゲーション・ポイントを付加するステップと、それぞれのＰＤＲＮメッセージを含めるように前記資産を並べ直してインデックスを付け直すステップとを含む、それぞれのＰＤＲＮメッセージを含めるように前記パッケージを解かれた資産をフォーマットするステップをさらに含む、
請求項１から６のいずれか一項に記載の方法。
【請求項８】
前記ＰＤＲＮメッセージがページであり、それぞれのＰＤＲＮメッセージを含めるように前記パッケージを解かれた資産をフォーマットするステップが、
少なくとも資産ＩＤを前記メタタグ・セクションに付加するステップと、
それぞれのＰＤＲＮページへの参照を前記マニフェスト・セクション内に登録するステップと、
それぞれのＰＤＲＮページへのナビゲーション・ポイントを前記スパイン・セクションに付加するステップと、
それぞれのＰＤＲＮドキュメントを含めるように、前記ページを並べ直し、前記ＴＯＣのインデックスを付け直して、フォーマットされた、パッケージを解かれた資産を確立するステップとをさらに含む、請求項７に記載の方法。
【請求項９】
少なくとも第１のＰＤＲＮメッセージを用意する前記ステップが、
前書きＰＤＲＮページとして第１のＰＤＲＮメッセージを用意して、前記資産の冒頭における前記前書きＰＤＲＮページへのナビゲーション・ポイントを前記スパイン・セクションに付加するステップと、
後書きＰＤＲＮページとして第２の末尾ＰＤＲＮメッセージを用意して、前記資産の末尾における前記後書きＰＤＲＮページへのナビゲーション・ポイントを前記スパイン・セクションに付加するステップとをさらに含む、請求項８に記載の方法。
【請求項１０】
前記前書きＰＤＲＮページが、前記資産のタイトルと、前記ＣＩＤの表示と、前記著作権通知とを含む、
請求項９に記載の方法。
【請求項１１】
前記末尾ＰＤＲＮページが、前記資産の前記タイトルと、前記ＣＩＤの表示と、前記著作権通知とを含む、
請求項９または１０に記載の方法。
【請求項１２】
前記ＣＩＤを受信する前記ステップが、デバイス識別情報（ＤＩＤ）を受信するステップをさらに含む、請求項１から１１のいずれか一項に記載の方法。
【請求項１３】
前記ＣＩＤをエンコードするステップと、
前記エンコードされたＣＩＤを前記資産の前記ボディー内に秘密裏に埋め込むステップと
をさらに含む、請求項１から１２のいずれか一項に記載の方法。
【請求項１４】
それぞれのＰＤＲＮメッセージが、資産固有のコンテンツをさらに含む、請求項１から１３のいずれか一項に記載の方法。
【請求項１５】
前記ＣＩＤが、顧客のＥメール・アドレスを含む、請求項１から１４のいずれか一項に記載の方法。
【請求項１６】
前記資産を求める前記顧客要求および前記ＣＩＤをアプリケーション・サーバにおいて受信するステップと、前記アプリケーション・サーバにおいて、
前記資産を入手して、前記パッケージを解かれた資産を一時的に格納するステップと、
１つまたは複数のＰＤＲＮメッセージを含めるように前記パッケージを解かれた資産をフォーマットするステップと、
パッケージングされた資産を確立するために、前記フォーマットされた、パックを解かれた資産をパッケージングするステップと、
前記フォーマットされたパッケージングされた資産を前記顧客へアップロードするステップと、
前記フォーマットされたパッケージングされた資産を削除するステップと
をさらに含む、請求項１から１５のいずれか一項に記載の方法。
【請求項１７】
前記パッケージを解かれた資産をフォーマットするステップの前に、
前記資産のサービス利用規約（ＴＯＳ）の前記顧客による受け入れを要求するステップと、
前記ＴＯＳが受け入れられた場合には、前記パッケージを解かれた資産をフォーマットするステップへ進むステップとをさらに含む、請求項１６に記載の方法。
【請求項１８】
前記ＣＩＤを受信する前記ステップが、
ＤＩＤを受信するステップと、
前記資産がデバイス固有の資産である場合には、前記デバイス固有の資産に固有のＰＤＲＮメッセージのみを付加するステップとをさらに含む、請求項１から１７のいずれか一項に記載の方法。
【発明の詳細な説明】
【技術分野】
【０００１】
デジタル権利管理の制限に関連付けられている依存および関連した障害を低減しながらユーザの著作権コンプライアンスを改善するために、パーソナライズされたデジタル権利通知をデジタル資産内にパッケージングするための方法が提供される。
【背景技術】
【０００２】
従来のデジタル権利管理（ＤＲＭ）は、デジタル資産（オーディオ／ビデオ／ブック・コンテンツを含むが、それらには限定されない）を、そのコンテンツがどのように使用されるかを配信者がコントロールすることができるやり方で、ＩＰネットワークを介してデバイスへ配信することを提供する。デバイスの所有者は典型的には、配信者のポータル上の適切なアイコンを「クリックすること」によって配信者のサービス利用規約（ＴＯＳ）を承認することにより、契約を受け入れる。そのような様式でＴＯＳの受け入れを構築する際には、オーディオ／ビデオ／ブック・コンテンツ（デジタル資産）は、ＴＯＳの契約条項から切り離されている。デジタル資産をコントロールするＤＲＭは、ＴＯＳのコンプライアンスを必要とする埋め込まれた技術的な制限するコンポーネントを含む。
【０００３】
コンプライアンスとは、コピーすることに対する制限を意味することができ、またはその他のプラットフォーム上で開くこと、印刷すること、もしくは使用することを含むことができる。たとえば、Ｋｉｎｄｌｅ（商標）リーダ（Ａｍａｚｏｎ．ｃｏｍ，Ｉｎｃ．の商標）のためのＤＲＭを用いてエンコードされたｅブックは、その他のｅリーダ上で読み取られることを制限されている。
【０００４】
発行者および一般読者は同様に、紙媒体形式の文献においては存在していない、または長い間解決済みであった、デジタル資産環境において生じている制限に関してフラストレーションおよび懸念を抱いている。
【０００５】
現在まで、関連するソリューションは、ＤＲＭを全体として除去すること、または透かしを含む「ソーシャルＤＲＭ」という形式を使用することを含んでいる。透かしは、見えること、または隠されていることが可能である。いずれの場合においても、消費者の情報が、デジタル資産内に挿入される。消費者は自分たちの個人情報が資産のコピー内で永続されることに対して通常は抵抗感を持つということを使用して、著作権所有者の権利が管理される。しかしながら、この抵抗感は、消費者でさえ、自分たちが配信者のＴＯＳを受け入れることによって既に同意していた資産のその他の使用に関しては制限があるということ、個人情報は自分たちをソースとして指し示すものであるということ、および、資産の不正な使用に関連付けられている法的責任があるということを理解しているという前提に基づいている。
【０００６】
しかしながら、透かしは、それらの権利を無視することを意図する者たちによって既に容易に除去されているということが知られている。コンプライアンスを保っている典型的な消費者にとっては、通常のＤＲＭ制限は、中古市場内でのあらゆる消尽権の場合においてなどの消費者の行動を、またはその消費者自身の複数のｅリーダのうちの別のｅリーダ上でのその資産の使用までもコントロールし続ける。
【発明の概要】
【発明が解決しようとする課題】
【０００７】
【課題を解決するための手段】
【０００８】
従来技術の透かし技法とは対照的に、本明細書において説明されているように、ＰａｃｋａＤＲＭ（Ｐａｃｋａｇｅｄ  Ｄｉｇｉｔａｌ  Ｒｉｇｈｔｓ  Ｍｅｓｓａｇｉｎｇ）システムの実施形態は、ある形式のライセンサのＴＯＳを、まったくＤＲＭ制限コントロールを伴わずにデジタル資産内に埋め込む。そのＴＯＳは、購入されたまたは配信されたデジタル資産内で、そのデジタル資産の所有者またはユーザにとって明らかに利用可能である一意のカスタマイズ可能なメッセージにおいて提示される。このメッセージは、ユーザに、ＴＯＳのことを、および彼らの個人的な識別情報がそこに関連付けられているということを思い出させる。ユーザによるコンプライアンスは、資産の配信者である別人による要求に応じることにたとえられることが可能である。鍵となるのは、その人に影響を及ぼして、そうでなければ彼らが携わらない可能性がある行為へと導くことである。この場合には、コンプライアンスは、何か提供されるものがある場合には肯定的に影響されて、購入者からのお返しの肯定的な応答を引き出すことが可能である。ここでは、その提供されるものは、権利管理制限の除去であり、これは、共有するのを控えることなど、より包括的な著作権コンプライアンスを伴う購入者のコンプライアンスと引き換えに、資産を、提供されるライセンス権利内でさらに直観的で自由に使用されるものにする。
【０００９】
著作権コンプライアンスにおいて適用できる可能性がある、自己規制に関する個人の傾向についての１つの理論を、道徳の社会的認知理論として現在知られている心理学の一部門の発展の中で見つけることができる。この分野においては、個人は、道徳的な自我を発達させる際に、行為に関する手引きおよび抑制として機能する善悪の基準を採用するとＡｌｂｅｒｔ  Ｂａｎｄｕｒａ（スタンフォード大学）が述べている。個人は、結果を考慮して自分たちの行動を規制し、自分たちに満足感および自尊心を提供してくれることを行い、自責の念を避けるために、自分たちの道徳基準に違反する行為を慎み、その結果として個人の自己規制がもたらされる。
【００１０】
この自己規制は、デジタル権利管理（ＤＲＭ）ツールの実施形態を使用して、購入者の情報をデジタル資産内に、その資産に関するデジタル・パーソナライゼーションを介して挿入し、次いでその情報を、一意のカスタマイズ可能なメッセージ内に、彼らの義務、および彼らが義務を怠った場合に生じうる法的責任のリマインダとともに表示することによって、達成される。そのメッセージは、購入者にとって見えるまたは聞こえるものである。購入者は、邪魔物を伴わないデジタル資産を自分が受信したということ、そのデジタル資産は自分用に、かつ自分専用にパーソナライズされているということ、そこに関連付けられている義務および禁止があるということを思い出し、それは、購入者の道徳観、および著作権侵害に対する自己規制に訴えかける。
【００１１】
このシステムの実施形態は、デジタル・パーソナライゼーション技法を使用するさらに堅牢な形式のソーシャル・デジタル権利管理（ＤＲＭ）を導入し、そこでは消費者の個人情報が、スクリプト化されたメッセージ内に挿入され、次いでそのメッセージが、一意のパーソナライズされたメッセージとしてデジタル資産内のどこかに表示される。最初の購入に関連付けられているＴＯＳを購入者が覚えていること、または読んでいることさえ、もはや前提とされない。ユーザは、説得力のあるやり方で、および自分のデジタル資産を使用する際の自分の直接の利益のために、自分の義務および結果を紹介される、または思い出させられる。
【００１２】
複数の実施形態が、ソーシャルＤＲＭと、パーソナライズされた教育的な形式の透かしとを組み合わせており、見えるまたは聞こえるマーキングが、読者／視聴者／リスナーである購入者に、彼らが購入したデジタル資産は著作権法によって保護されており、共有または複製されるべきではないということを思い出させるように機能する。
【００１３】
一般的な一態様においては、デジタル資産に対するライセンスを求める顧客要求を受信するステップと、顧客識別情報（ＣＩＤ）を受信するステップとを含む、デジタル資産にデジタル・パーソナライゼーションを付加するための方法が提供される。この方法は、資産のパッケージを解くステップ、またはパッケージを解かれた形態の資産を取得するステップを続ける。第１のパーソナライゼーション通知（ＰＤＲＮ）メッセージが用意され、それぞれのＰＤＲＮメッセージは、著作権通知と、ＣＩＤの少なくとも１つの要素とを含み、パッケージを解かれた資産を、顧客への感覚的な表示のためのそれぞれのＰＤＲＮメッセージを含めるようにフォーマットするステップ。フォーマットされた、パックを解かれた資産を、顧客へ返すために、その中にデジタル・パーソナライゼーションを含めてパッケージングするステップによって、パーソナライゼーションを完了する。
【図面の簡単な説明】
【００１４】
【図１Ａ】パッケージングされたデジタル権利メッセージング・システムの一実施形態を示すフローチャートである。
【図１Ｂ】ＣＩＤおよびＰＤＲＮメッセージを一般的な資産内に挿入するステップに関するフローチャートの続きである。  図２〜図４は、ｅｐｕｂ  ｅブックに関する実装態様の一例を示している。すなわち、
【図２】透かしまたはパーソナライゼーションを有していないｅブックを示す図である。
【図３Ａ】ページの形式でのサンプルの前書きパーソナライゼーション・メッセージである。
【図３Ｂ】サンプルの後書きパーソナライゼーション・メッセージである。
【図４】パーソナライゼーションが付加され、内部にトラッキングＥＣＩＤが埋め込まれた図２のｅブックを示す図である。
【図５Ａ】および
【図５Ｂ】ｅｐｕｂ  ｅブックに適用される特定の一実施形態の例であり、すなわち、ＯＰＦファイリングのサンプリング、ならびに前書きおよび後書きのＰＲＤＮページ形式のメッセージＮＣＸファイルをそれぞれ並べて示す図である。
【発明を実施するための形態】
【００１５】
図１Ａにおいて示されているように、一実施形態においては、消費者は典型的には、Ａｍａｚｏｎ（商標）（商標Ａｍａｚｏｎ．ｃｏｍ，Ｉｎｃ．）およびアプリケーションｉＴｕｎｅｓ（商標）（商標Ａｐｐｌｅ，Ｉｎｃ．）によるものを含む直接のウェブサイトおよびその他のポータルを含む、ある形式のショッピング・カート・モデルを実装しているウェブサイトまたはその他の形式のポータルを通じてデジタル資産を見つけ出す。消費者は、オンライン・カタログを通じて電子的資産（ｅブック、ビデオ、およびオーディオ・ファイルを含むが、それらには限定されない）の購入を開始し、どこかの時点で、特に金銭取引の前に、自分の名前、Ｅメール・アドレス、またはそれらの両方などの要素を含む自分の識別情報（ＣＩＤ）を入力または確認するよう促される。「購入」という用語が使用されているが、取引は実際には、所有権の移転ではなく、ライセンス付与の取引である。資産の所有権は、移転されない。もしも適切なＣＩＤを提供することを顧客が拒否した場合には、取引は終了する。選択された資産に関するサービス利用規約（ＴＯＳ）が、消費者に表示される。典型的には、ＴＯＳは、同意ボタンを伴う契約全体のスクロール表示として表示される。ＣＩＤは、消費者が「契約条件」を読んで受け入れ、配信用の所望のプラットフォームを選択した後に、サーバ上に一時的に格納される。取引の金銭的な側面が完了される。
【００１６】
次いで消費者のＣＩＤまたは情報が、デジタル資産内の１つまたは複数の場所へ永久に挿入される。
【００１７】
パーソナライズされたデジタル権利通知またはＰＲＤＮメッセージを伴ってデジタル資産が用意される。そのメッセージは、永続的なものであること、または一時的なものであること、ポップアップのようなものであること、および所定のまたは不規則な場所にあることが可能である。
【００１８】
ｅブックの特定の実施形態においては、ＰＲＤＮメッセージは、追加の１つまたは複数のページとして資産の冒頭付近および末尾に都合よく効果的に挿入され、パッケージングされ、消費者へ配信されることが可能である。このメッセージは、たとえば、ｅブックまたはビデオにおいては見えるように、およびオーディオ・ファイルまたはビデオにおいては聞こえるようになど、感覚的な表示を介してユーザへ目的のある提示として提供される。
【００１９】
ＰＲＤＮを伴う資産の用意のために、情報は、取引を取り扱っている商業店舗アプリケーションから、アプリケーション・サーバにおけるＤＲＭアプリケーションに渡される。オンライン・ショッピング・カートおよびチェックアウト・インターフェースなどの店舗アプリケーションと、ＤＲＭアプリケーションとは、ともに、または別々のサービスとして運営されることが可能である。ＤＲＭアプリケーションは、名前、デバイスＩＤ（ＤＩＤ）、資産識別情報または資産ＩＤ、および購入者の情報ＣＩＤという識別情報を店舗アプリケーションから受信する。
【００２０】
デバイスＩＤは、ファイル・フォーマットの識別、たとえばｅブックの場合には、そのフォーマットが＊．ｍｏｂｉ、＊．ｅｐｕｂ、またはその他のフォーマットであるかの識別を可能にする。資産ＩＤは、店舗アプリケーションからの、または共同のもしくはその他の著作物のマネージャーからの転送または検索のための特定の資産を識別する一意の識別子である。ポータルまたはギフト・カードから注文されたｅブックの場合には、取引は、資産、購入者、店舗に伴う取引識別情報、またはそれらの何らかの組合せに関連したいくつかの可能なレベルの識別情報に関連付けられている。資産ＩＤは、それぞれの取引ごとに一意であることが可能である。最後に、ＣＩＤは、顧客のＥメールを示すことによってなど、ＰＲＤＮメッセージ内に組み込むために渡される。
【００２１】
消費者が資産を受信して開いたときに、消費者の情報および著作権に関するメッセージ（そこに関連付けられている義務に関する情報も含み、その違反に関するペナルティーを含むこともできる）が、適切な感覚的な形式で消費者に、もちろん、彼らの個人情報もその他の任意の読者に提示されることになるであろうというユーザに対する含みを伴って、提示される。
【００２２】
資産がｅブックである実施形態においては、パーソナライズされたメッセージは、ページであること、およびブックの冒頭付近に、またはブックの末尾付近に、またはその両方に表示されることが可能である。ｅブックというコンテキストにおけるＰＤＲＮメッセージは、典型的には、永続的な「ページ」であり、さらなるページとして所定の場所に現れて、読書中に同じ様式で提示される。しかしながら、その他のメッセージとしては、ｅブックにおいてさえ、デジタル資産のタイプおよびディスプレイ・デバイスの特性に応じて、一時的なポップアップ・メッセージ、または資産の使用中にどこかの時点で現れるオーディオ・クリップを含むことができる。同様に、このメッセージは、ＰＤＲＮメッセージに関連しているビデオ・フレームまたはオーディオ・クリップなどのさまざまな可能な提示手段のうちの任意のものであることが可能である。
【００２３】
ｅブックにおいては、最初のパーソナライズされたＰＤＲＮメッセージは、購入者の情報と、指定された資産を楽しむことを歓迎および案内する文面と、国際著作権法のもとでのものなど、消費者が締結したＴＯＳ契約のリマインダとを表示するページを含むことができる。さらなるメッセージは、末尾ページであることが可能であり、同様に、購入者の情報と、何らかの形式の結びの挨拶と、ＴＯＳのさらなるリマインダとを含むことができる。
【００２４】
資産がビデオまたは映画であるその他の例および実施形態においては、購入者の情報を含み、かつ、無許可の共有または複製に関するペナルティーについて購入者に忠告するパーソナライズされたスクリーン・ショットが、映画の冒頭で表示される。資産がオーディオ・ファイルである実施形態においては、ファイル内に封入されているオーディオ・マテリアルは、著作権で保護されており、共有または複製されることは不可能であるということを購入者に忠告するＰＤＲＮメッセージが、口述のメッセージを通じて、または添付のアルバム・カバー・アート等を通じてなど、視覚的な手段を通じてさえ、配信されることが可能である。
【００２５】
一般的に図１Ｂを参照すると、ＰＲＤＮを伴う資産を用意するために、デバイスＩＤ、資産ＩＤ、およびＣＩＤが、ＤＲＭアプリケーションに渡される。ＤＲＭアプリケーションは、デジタル資産に対するライセンスを求める顧客要求を受信する。述べたように、ＤＲＭは、顧客識別情報（ＣＩＤ）を受信する。資産が、許可されたソースから検索される。資産がパックされた状態で着信した場合には、その資産は、ＰＲＤＮメッセージの挿入を可能にするためにパッケージを解かれる。したがって、パッケージを解かれると、または既にパッケージを解かれている形式の資産からコピーされると、そのパッケージを解かれた資産は、一時的なストレージにコピーされる。
【００２６】
１つまたは複数のＰＲＤＮメッセージが用意される。それらのＰＲＤＮメッセージは、提示フォーマットを問わず、見えるまたは聞こえる提示であり、本明細書においてはＰＲＤＮメッセージと呼ばれる。本明細書では図２〜図５Ｂにおいて、メッセージがページの形式である例が使用されているが、上述のように、それらのメッセージは、ポップアップおよびオーディオ／ビジュアル・クリップを含む、ユーザへのその他の形式の通信であることも可能である。
【００２７】
図５Ａにおいて示されているように、ｅブックの一実施形態においては、パッケージを解かれた資産は、メタタグ・セクションと、資産のボディーおよびページを含むマニフェスト・セクションと、目次（ＴＯＣ）を含むスパイン・セクションと、コンテンツ・ドキュメントとを含むＯＰＦ（ｏｐｅｎ  ｐａｃｋａｇｉｎｇ  ｆｏｒｍａｔ）ファイルを有する。ＤＲＭアプリケーションは、ＰＤＲＮページなどの少なくとも第１のパーソナライゼーション通知（ＰＤＲＮ）メッセージを用意し、それぞれのＰＤＲＮページは、ＴＯＳの通知と、Ｅメールなど、ＣＩＤの少なくとも一部分のビジュアル表示とを含む。
【００２８】
パッケージを解かれた資産は、それぞれのＰＤＲＮページを含めるようにフォーマットされる。
【００２９】
一実施形態においては、資産は、少なくともＣＩＤをメタタグ・セクションに付加するステップと、それぞれのＰＤＲＮページへの参照をマニフェスト・セクション内に登録するステップと、それぞれのＰＤＲＮページへのナビゲーション・ポイントをスパイン・セクションに付加するステップとによってフォーマットされる。それぞれのＰＤＲＮページを含めるように、資産のページが並べ直され、ＴＯＣがインデックスを付け直されて、フォーマットされた、パッケージを解かれた資産が確立される。資産は、内部にデジタル・パーソナライゼーションを伴ってパッケージングされる。ポップアップなどの一時的なメッセージに関しては、ユーザへの資産の提示の通常の過程内に他の要素を組み込んでインターリーブするために、それらの他の要素がデジタル資産内に配置され、必要に応じてフォーマットし直される。
【００３０】
述べたように、ＰＲＤＮメッセージ・ページは、読むことまたは聞くことによる、ユーザへの感覚的なリマインダである。資産が無許可の配布のためにリリースされた場合に追跡把握することを可能にするために、資産を楽しむ通常の過程においては見えない任意選択のトラッキングＩＤまたはＥＣＩＤが付加されることが可能である。ＥＣＩＤは、ＣＩＤを含むルックアップ・データベース内の実際の資産ＩＤに関連付けられることが可能である、資産ＩＤ、その一部、またはその他の形式のＥＣＩＤであることが可能である。ＥＣＩＤは一意であることが可能であり、それによって、１つのブックに関するＥＣＩＤが除去のために識別され見つけ出された場合には、それは単に、別のデジタル資産内で、または同じタイトルの資産の別の購入されたコピー内でさえ、同じＥＣＩＤを見つけ出すという問題ではない。これは、追跡把握可能な、それでいてＤＲＭのない、かつコピー制限のない資産を引き続き提供するよう資産の配信者に促しつつ、共有されているコピーのソースを見つけ出す際にその配信者を支援するためのさらなるセキュリティー機能である。
【実施例１】
【００３１】
図２を参照すると、見えるＤＲＭを伴わないｅブックの一例が示されており、これは、本明細書において開示されている実施形態によるＰＲＤＮメッセージの付加に適している。示されているように、タイトル・ページと、１つの章からのいくつかのサンプル・ページと、ブック・ページの末尾とがある。その上に示されているページ・ナンバリングは、デバイスに応じて、デバイスによって自動生成されるが、フォントおよびデバイスの向きは、いったんすべてが決定されると、一定である。
【００３２】
図３Ａおよび３Ｂを参照すると、サンプルのＰＲＤＮメッセージが用意されている。この例においては、それらのＰＲＤＮメッセージは、挿入用のページの形式として用意されている。この例においては、ブック・タイトルおよび消費者のＣＩＤが埋め込まれているか、またはリンクされており、この場合には、ＣＩＤは消費者のＥメールに限定されている。図３Ａの前書きＰＲＤＮメッセージは、ブックの最前部における挿入用として特徴付けられており、消費者のパーソナライゼーションと、リマインダＤＲＭ通知とを含み、任意選択で、ユーザが購入を行った際に同意していたＴＯＳおよび著作権契約とともに、来たる経験を承認するようユーザに案内する前書きまたは歓迎の言葉を備えているということに留意されたい。図３Ｂの末尾ＰＲＤＮは、同様にＣＩＤおよび著作権契約リマインダを有しているが、任意選択で、ユーザが資産の使用を完了すると無許可の配布のリスクが高まるということを知らせるように文脈が修正されることが可能である。
【００３３】
図４において示されているように、ページ形式のメッセージが、資産の冒頭に、および末尾に挿入される。冒頭または最前部のＰＲＤＮページは、表示されるのを実質的に回避できないようにするためにカバー・ページの前に来ることが可能であり、またはカバー・ページの後に続くことも可能である。挿入および提示の場所および持続性に応じて、目次が改訂を必要とする場合があり、デジタル・ポインタが、消費者用にパッケージングし直す前に更新される場合がある。この例においては、ページの実際の挿入に起因して、最終章に関しては、もともとは合計で７１ページを有していたが、ここでは、後書きまたは最後部のＰＲＤＮメッセージ・ページを有している最終ページを含めて、７２ページを有するものとして示されている。
【００３４】
論じたように、ユーザにとって見えないＥＣＩＤが挿入されることが可能である。このＥＣＩＤは、図４においては、ｅブックのどこか途中の箇所に配置されているものとして空想的に示されているが、実際の挿入は、エンコーディングのさまざまな可能な手段の問題であり、特定のエンコーディングは、デバイス、資産、およびアルゴリズムに依存しており、そのような手段は、従来技術において知られている。
【００３５】
結果として、ｅブックを開いた際に、最初の消費者は、前書きＰＲＤＮを目にして、ＤＲＭ契約を思い出させられ、ｅブックを読み終わった後に、もう一度ＤＲＭ契約を思い出させられる。もちろん、消費者は、無許可のコピーも同じＰＲＤＮを有することになるということにも気づく。
【００３６】
ＥＣＩＤは、最初の消費者の取引を追跡把握することを可能にする。ＰＲＤＮページは、許可された技術者および無許可の技術者の両方にとって同様に既に利用可能であるツールを使用して容易に除去されることが可能であるが、ＥＣＩＤは、普通の編集者の手を逃れて生き残ることがより明白であり、そうなる可能性がより高い。
【実施例２】
【００３７】
付加されるページとしてＰＤＲＮメッセージが挿入される、ｅｐｕｂ  ｅブックのさらに詳細な例においては、パッケージを解かれた資産が、一時ディレクトリにコピーされる。
【００３８】
図５Ａにおいて示されているように、このｅブックは、意図されているデバイスまたは読者に応じて、典型的な知られているフォーマットを有する。典型的な．ｅｐｕｂフォーマットは、ｅブックのフォルダ内にＯＰＦ（Ｏｐｅｎ  Ｐａｃｋａｇｉｎｇ  Ｆｏｒｍａｔ）ファイルおよびＮＣＸファイルという別個のファイルを含む。
【００３９】
ＯＰＦファイルは、メタデータ、マニフェスト、スパイン、およびガイドに関する子要素を伴うパッケージ要素を含む。ＯＰＦファイルは、デバイス／アプリケーションが最初に解析する（ｘ）ｈｔｍｌまたはＸＭＬファイルであり、メタデータ要素と、３つの実質的なセクション、すなわち、マニフェスト・セクション（資産、およびファイル内でのそれらの資産の場所のリスト）、スパイン（ブック内に読み込まれるべき順序で並べられたすべてのＨＴＭＬファイルのリスト）、および、スパイン内で参照されるＮＣＸファイル（ブック内の目次をリストアップするＸＭＬファイル）とを有する。
【００４０】
メタデータ要素は、ブックについて記述する情報、すなわち、マニフェスト（パッケージ内のファイルのリスト）、スパイン（読み取り順序での（ｘ）ｈｔｍｌドキュメントのリスト）、およびガイド（目次、前書き、開始位置、用語集、およびその他のタイプの情報など、リーダ・ソフトウェアによって使用される構造的なコンポーネントの任意選択のリスト）を含む。
【００４１】
スパイン・セクションは、ＮＣＸファイルを参照する。ＮＣＸファイルは、ＯＰＦファイル内で２回参照され、１回目は、ｅブックを構成するファイルをリストアップするマニフェスト・タグ内のアイテムとして、２回目は、読み取り順序でアイテムをリストアップするスパイン・タグの属性として参照される。そのようなｅブックはまた、ＨＴＭＬ目次を有し、ＨＴＭＬ目次は、ブックのＨＴＭＬファイル内に含まれること、または別個のｔｏｃ．ｈｔｍｌファイルとして存在することが可能である。
【００４２】
ＮＣＸファイルの大部分は、さまざまな進行状況インジケータを作成するために使用されるｎａｖＰｏｉｎｔタグの集まりである。たとえば、ＡｍａｚｏｎのＫｉｎｄｌｅ（商標）デバイスにおいては、ＮＣＸは、ＰｒｅｖｉｅｗｅｒのＮＣＸ  ＶｉｅｗおよびＰｒｏｇｒｅｓｓ  Ｂａｒがチェックマークを付ける際に支援を行う。それぞれのＮＣＸ  ｎａｖＰｏｉｎｔタグは、２つの子タグ、すなわち、ｎａｖＬａｂｅｌおよびＣｏｎｔｅｎｔを含む。ｎａｖＬａｂｅｌは、タイトル・テキストであり、Ｃｏｎｔｅｎｔタグは、ブックの１つまたは複数のＨＴＭＬファイル内の対応するアンカー・タグへのリンクである。
【００４３】
この実施形態においては、ｅブックのパーソナライゼーションは、パーソナライゼーション情報を含めて１つまたは複数のＰＲＤＮページを登録するためのマニフェスト・セクションの修正を含む。スパインは、それぞれの付加されたマニフェスト登録に関するエントリーを含めるように修正される。ＮＣＸファイルは、付加されたＰＲＤＮファイルへのパスを付加するように修正される。目次またはＴＯＣリストに現れることになるタイトルが付加される。
【００４４】
ＮＣＸおよびＴＯＣが並べ直され、資産は、顧客への配信用にパッケージングし直される。
【００４５】
ＯＰＦファイルにおいては、ＥＣＩＤおよび資産ＩＤをメタデータに付加する。さらに、マニフェスト・セクション内に挿入されることになるページを登録した。図５Ａを参照すると、ＰＲＤＮページが．ｈｔｍｌファイルとして付加されている。マニフェストに付加されたそれぞれの．ｈｔｍｌ  ＰＲＤＮファイルに関して、マニフェストｉｄを使用してエントリーをスパインに付加する。
【００４６】
さらに、図５Ｂを参照すると、マニフェストに付加されたそれぞれの．ｈｔｍｌ  ＤＲＭファイルに関して、実際の．ｈｔｍｌ  ＰＲＤＮファイルのパスを使用して．ＮＣＸファイルにエントリーを付加する。ｐａｃｋａＤＲＭ＿ｃｏｐｙｒｉｇｈｔ＿Ｆｒｏｎｔ．ｘｈｔｍｌを参照されたい。デバイスの目次（ＴＯＣ）リスト内に現れるそれぞれのページに関して、「ｐａｃｋａＤＲＭＰａｇｅＦｒｏｎｔ」などのタイトルが提供される。
【００４７】
実際のエントリーは、別々のフォーマットごとに異なることが可能であるということに留意されたい。たとえば通常のｒｅブック・リーダ・ファイルに関しては、単一のＰＲＤＮメッセージをカバーの前または後に、および１つのＰＲＤＮメッセージをブックの末尾に付加すること、ならびにＴＯＣにおいては、１つのパス／タイトルをカバーの後に、および１つのパス／タイトルをブックの末尾にリストアップすることが可能である。別の例においては、現在のｉＢｏｏｋｓ（商標）フォーマット（Ａｐｐｌｅ，Ｉｎｃ．）に関しては、１つのＰＲＤＮメッセージをブックの末尾に、対応するパス／タイトルをブックの末尾に伴って付加することができる。その他のフォーマットは、本明細書において開示されているＰＲＤＮメッセージのその他の構成および形式に適している。
【００４８】
やはり、ページ形式のＰＤＲＮメッセージはｅブックの提示の構造に影響を与えるため、１つまたは複数のＰＲＤＮページが付加されると、ＮＣＸファイル内の「ｐｌａｙｏｒｄｅｒ」の修正を通じてなど、ページが並べ直され、ＴＯＣがインデックスを付け直される。たとえば、もとのシーケンスがカバーに対してもともとｐｌａｙｏｒｄｅｒ＝１を有していた場合に、前置きまたは最前部のＰＲＤＮページの付加によってシーケンスが変更され、それによって、ＰＲＤＮページはｐｌａｙｏｒｄｅｒ＝１を有し、カバーはｐｌａｙｏｒｄｅｒ＝２へシフトされる。ｐｌａｙｏｒｄｅｒは、ページ・シーケンスに関連しており、表示される実際のページ・ナンバリングは、動的に決定され、ディスプレイに関連しており、デバイスごとのものであり、さらにページの向きおよびフォントの選択によって変更されるということに留意されたい。
【００４９】
任意選択で、および典型的には、エンコードされた識別情報ＥＣＩＤが挿入される。特定の購入に関連している、やはりシステムのデータベース内に格納されている一意の識別子をコンテンツとして含むメタデータ・セクション内にＥＣＩＤ  ｘｍｌ＜ｍｅｔａ＞エンティティーを付加することができる。除去に対してさらに高い抵抗力を有するために、ある形式のＥＣＩＤをボディー内に隠すための、ハッキングに対して抵抗力のあるその他のエンコーディング方法が、当業者に知られている。
【００５０】
パーソナライゼーションが完了し、ｐｌａｙｏｒｄｅｒおよびＴＯＣが調整されると、ｅブックおよびＰＲＤＮページは、消費者による使用のためにパッケージングされる。繰り返しになるが、パッケージングは、．ｍｏｂｉ、．ｅｐｕｂ、およびその他を含むファイル・フォーマットに応じて異なる。
【００５１】
図１Ａへ戻ると、パッケージングされたｅブックが、消費者へのアップロードのために店舗アプリケーションへ返されることが可能である。あるいは、ダウンロードのためにリンクが提供されることが可能である。そのファイルは、配信されると、典型的には一時ディレクトリから削除され、そのファイルの保持は、さまざまなプライバシー考慮事項と、バックアップまたはダウンロード・プロテクションの目的のためになど、保持を求める消費者による要求とに依存する。
【００５２】
したがって、資産を開いた際に、および資産を閉じた際に、ＰＤＲＮメッセージでフォーマットされた資産の購入者は、当初自分のデジタル資産を購入した際に同意したＴＯＳのもとでの自分の義務を思い出させられる。さらに、もしもその資産がファイル共有サイト上に現れた場合には、消費者のＣＩＤがそのコピー上に表示され、もしもＣＩＤが除去された場合には、コピーがパックを解かれて検査されること、およびＥＣＩＤがあれば、そのＥＣＩＤが抽出されることが可能である。資産がＰＲＤＮメッセージングを注入されている場合には、もとの消費者を識別するためにＤＲＭアプリケーション・サーバ・データベースにおける対応するデータベース内でＥＣＩＤが調べられることが可能である。
【図１Ａ】
2015515073.tif 000003
【図１Ｂ】
2015515073.tif 000004
【図２】
2015515073.tif 000005
【図３Ａ−３Ｂ】
2015515073.tif 000006
【図４】
2015515073.tif 000007
【図５Ａ】
2015515073.tif 000008
【図５Ｂ】
2015515073.tif 000009
【国際調査報告】
2015515073.tif 000010
2015515073.tif 000011